(57)【要約】【課題】  精度が高い体形モデルをユーザが容易に作成することが可能な体形モデル作成装置及び体形モデル作成方法を提供する。【解決手段】  ユーザ端末１０によって体形データ及び全身画像Ｐ１０が服飾用品販売用ウェブサイトＷ１０にアップロードされ、服飾用品販売サーバ１００に送信されると（ステップＳ１０及びＳ１２）、ユーザの全身画像Ｐ１０がユーザの身体が写っている領域である人物画像Ｈ１０と、ユーザの身体以外の部分が写っている領域である背景画像Ｂ１０に分割される（ステップＳ１４）。そして、ユーザ端末１０から入力された体形データに基づいて人物画像Ｈ１０の形状が補正され、体形モデルＭ１０が作成される（ステップＳ１６）。次に、服飾用品販売サーバ１００からユーザ端末１０に体形モデルＭ１０が出力される（ステップＳ１８）。これにより、体形モデルＭ１０がユーザ端末１０に表示され、体形モデルＭ１０を用いた服飾用品の試着が可能になる。【選択図】      図１０
2009128996.tif 000002
【特許請求の範囲】
【請求項１】
ユーザの体形に関する体形データの入力を受け付ける体形データ入力手段と、
前記ユーザの全身を撮影した全身画像を取得する全身画像取得手段と、
前記ユーザの体形データ及び全身画像に基づいて、ユーザの体形を表す画像データを含む体形モデルを作成する体形モデル作成手段と、
前記ユーザの体形モデルを出力する出力手段と、
を備えることを特徴とする体形モデル作成装置。
【請求項２】
前記体形モデル作成手段は、
前記ユーザの全身画像から、ユーザの身体が写っている人物画像と、ユーザの身体以外のものが写っている背景画像とを分離して人物画像を抽出する人物画像抽出手段と、
前記ユーザの体形データに基づいて前記人物画像を補正してユーザの体形モデルを作成する補正処理手段と、
を備えることを特徴とする請求項１記載の体形モデル作成装置。
【請求項３】
前記補正処理手段は、前記ユーザの体形データに基づいて前記ユーザの体形の輪郭を推定し、前記人物画像の輪郭を補正して体形モデルを作成することを特徴とする請求項２記載の体形モデル作成装置。
【請求項４】
体形データごとに作成された初期体形モデルを格納する初期体形モデル格納手段を更に備え、
前記体形モデル作成手段は、
前記ユーザの体形データに基づいて前記ユーザの体形を推定し、前記初期体形モデル格納手段に格納された初期体形モデルの中から前記ユーザの体形に近似する初期体形モデルを選択する初期体形モデル選択手段と、
前記ユーザの全身画像から、ユーザの身体が写っている人物画像と、ユーザの身体以外のものが写っている背景画像とを分離して人物画像を抽出する人物画像抽出手段と、
前記人物画像に基づいて前記初期体形モデルを補正してユーザの体形モデルを作成する補正処理手段と、
を備えることを特徴とする請求項１記載の体形モデル作成装置。
【請求項５】
前記補正処理手段は、前記人物画像の輪郭に基づいてユーザの体形を推定し、前記初期体形モデルの輪郭を補正して体形モデルを作成することを特徴とする請求項４記載の体形モデル作成装置。
【請求項６】
前記体形モデル作成手段は、
前記ユーザの全身画像からユーザの頭部の画像を取得する頭部画像取得手段と、
前記頭部の画像を用いて前記体形モデルの頭部を作成する顔作成手段と、
を更に備えることを特徴とする請求項１から５のいずれか１項記載の体形モデル作成装置。
【請求項７】
前記ユーザの体形モデルを該ユーザの認証情報と関連付けて記録する記録手段と、
前記ユーザの認証情報に基づいてユーザ認証を行うユーザ認証手段とを備え、
前記出力手段は、前記ユーザ認証手段によってユーザ認証がなされたときに、前記記録手段から当該ユーザの体形モデルを読み出して出力することを特徴とする請求項１から６のいずれか１項記載の体形モデル作成装置。
【請求項８】
ユーザの体形に関する体形データの入力を受け付ける体形データ入力工程と、
前記ユーザの全身を撮影した全身画像を取得する全身画像取得工程と、
前記ユーザの体形データ及び全身画像に基づいて、ユーザの体形を表す画像データを含む体形モデルを作成する体形モデル作成工程と、
前記ユーザの体形モデルを出力手段に出力する出力工程と、
を備えることを特徴とする体形モデル作成方法。
【請求項９】
前記体形モデル作成工程は、
前記ユーザの全身画像から、ユーザの身体が写っている人物画像と、ユーザの身体以外のものが写っている背景画像とを分離して人物画像を抽出する人物画像抽出工程と、
前記ユーザの体形データに基づいて前記人物画像を補正してユーザの体形モデルを作成する補正処理工程と、
を備えることを特徴とする請求項８記載の体形モデル作成方法。
【請求項１０】
前記補正処理工程では、前記ユーザの体形データに基づいて前記ユーザの体形の輪郭を推定し、前記人物画像の輪郭を補正して体形モデルを作成することを特徴とする請求項９記載の体形モデル作成方法。
【請求項１１】
前記体形モデル作成工程は、
前記ユーザの体形データに基づいて前記ユーザの体形を推定し、体形データごとに作成された初期体形モデルを格納する初期体形モデル格納手段の中から前記ユーザの体形に近似する初期体形モデルを選択する初期体形モデル選択工程と、
前記ユーザの全身画像から、ユーザの身体が写っている人物画像と、ユーザの身体以外のものが写っている背景画像とを分離して人物画像を抽出する人物画像抽出工程と、
前記人物画像に基づいて前記初期体形モデルを補正してユーザの体形モデルを作成する補正処理工程と、
を備えることを特徴とする請求項８記載の体形モデル作成方法。
【請求項１２】
前記補正処理工程では、前記人物画像の輪郭に基づいてユーザの体形を推定し、前記初期体形モデルの輪郭を補正して体形モデルを作成することを特徴とする請求項１１記載の体形モデル作成方法。
【請求項１３】
前記体形モデル作成工程は、
前記ユーザの全身画像からユーザの頭部の画像を取得する頭部画像取得工程と、
前記頭部の画像を用いて前記体形モデルの頭部を作成する顔作成工程と、
を更に備えることを特徴とする請求項８から１２のいずれか１項記載の体形モデル作成方法。
【請求項１４】
前記ユーザの体形モデルを該ユーザの認証情報と関連付けて記録する記録工程と、
前記ユーザの認証情報に基づいてユーザ認証を行うユーザ認証工程と、
前記ユーザ認証工程によってユーザ認証がなされたときに、前記記録工程から当該ユーザの体形モデルを読み出して前記出力手段に出力する工程と、
を備えることを特徴とする請求項８から１３のいずれか１項記載の体形モデル作成方法。
【発明の詳細な説明】
【技術分野】
【０００１】
本発明は体形モデル作成装置及び体形モデル作成方法に係り、特にユーザの体形を再現するための体形モデルを作成する体形モデル作成装置及び体形モデル作成方法に関する。
【背景技術】
【０００２】
特許文献１には、人物をブース内に入れて映像データを獲得し、獲得された映像を記憶されている一般的なモデルと比較することにより、当該人物に対応するコンピューターによるモデルを作成する方法が開示されている。
【０００３】
非特許文献１から３では、オンラインで衣類を販売するサービスが提供されている。非特許文献１では、人物をブース内に入れて、電磁波を用いて体形を測定するようになっている。非特許文献２では、ユーザ登録時に体形に関する質問に答えるほか、ユーザが自分で体形（１２項目）を測定して入力するようになっている。また、非特許文献３では、ユーザが自分の身長、体重等を入力して体形が類似したモデルを作成、表示させ、このモデルに衣類を着せることにより、衣類の着用時のイメージを視認できるようになっている。
【特許文献１】特表２００３−５０３７７６号公報
【非特許文献１】インテリフィット社、[online]、［平成１９年１１月８日検索］、インターネット〈ＵＲＬ：http://it-fits.info/home.asp〉
【非特許文献２】マイシェイプ社、[online]、［平成１９年１１月８日検索］、インターネット〈ＵＲＬ：http://www.myshape.com/〉
【非特許文献３】ランズエンド社、[online]、［平成１９年１１月８日検索］、インターネット〈ＵＲＬ：http://www1.landsend.co.jp/cgi-bin/ncommerce3/ExecMacro/LandsEndJapan/lejpn_Help.d2w/report?div=ss&target=mvm_landing.html〉
【発明の開示】
【発明が解決しようとする課題】
【０００４】
インターネットを介して商品を販売する電子商取引事業（ＥＣ事業）は、パーソナルコンピュータや書籍等のテキストによって検索が行える商品では普及しているが、ファッション・アパレル業界では低迷している。これは、衣料品及び装身具のような服飾用品を購入する場合には、当該服飾用品の見た目が重要になり、「購入しようとしている商品が自分の体形と合うのか」をユーザが端末上で確認することが困難であるからと考えられる。
【０００５】
特許文献１には、ユーザが体形測定専用のブースに入って体形を測定してモデルを作成する方法が提案されているが、ブース等の大がかりな装置が必要になるためコストがかかるという問題がある。また、ユーザが専用のブースに入る必要があるため、インターネットを利用したＥＣ事業に適用することは困難である。非特許文献１においても同様の問題点がある。
【０００６】
非特許文献２では、体形データの多数の項目についてユーザが自分で測定して入力する必要があるため、測定が面倒であると同時に、測定誤差が生じるおそれがあるという問題がある。また、非特許文献３では、体形に関する質問項目が少なく、実際のユーザの体形と体形モデルとの誤差が生じやすいという問題がある。
【０００７】
本発明はこのような事情に鑑みてなされたもので、精度が高い体形モデルをユーザが容易に作成することが可能な体形モデル作成装置及び体形モデル作成方法を提供することを目的とする。
【課題を解決するための手段】
【０００８】
上記課題を解決するために、本発明の第１の態様に係る体形モデル作成装置は、ユーザの体形に関する体形データの入力を受け付ける体形データ入力手段と、前記ユーザの全身を撮影した全身画像を取得する全身画像取得手段と、前記ユーザの体形データ及び全身画像に基づいて、ユーザの体形を表す画像データを含む体形モデルを作成する体形モデル作成手段と、前記ユーザの体形モデルを出力する出力手段とを備えることを特徴とする。
【０００９】
上記第１の態様によれば、ユーザの全身写真を利用することにより、ユーザが容易に自分の体形を示す画像である体形モデルを作成することができる。また、ユーザの画像を利用することにより、実際にユーザが試着した状態に近い試着イメージを作成することができる。
【００１０】
本発明の第２の態様に係る体形モデル作成装置は、上記第１の態様において、前記体形モデル作成手段は、前記ユーザの全身画像から、ユーザの身体が写っている人物画像と、ユーザの身体以外のものが写っている背景画像とを分離して人物画像を抽出する人物画像抽出手段と、前記ユーザの体形データに基づいて前記人物画像を補正してユーザの体形モデルを作成する補正処理手段とを備えることを特徴とする。
【００１１】
本発明の第３の態様に係る体形モデル作成装置は、上記第２の態様において、前記補正処理手段は、前記ユーザの体形データに基づいて前記ユーザの体形の輪郭を推定し、前記人物画像の輪郭を補正して体形モデルを作成することを特徴とする。
【００１２】
上記第２及び第３の態様によれば、ユーザの体形データに基づいて、ユーザの人物画像を補正することにより、ユーザが容易に自分の体形を示す画像である体形モデルを作成することができる。
【００１３】
本発明の第４の態様に係る体形モデル作成装置は、上記第１の態様において、体形データごとに作成された初期体形モデルを格納する初期体形モデル格納手段を更に備え、前記体形モデル作成手段は、前記ユーザの体形データに基づいて前記ユーザの体形を推定し、前記初期体形モデル格納手段に格納された初期体形モデルの中から前記ユーザの体形に近似する初期体形モデルを選択する初期体形モデル選択手段と、前記ユーザの全身画像から、ユーザの身体が写っている人物画像と、ユーザの身体以外のものが写っている背景画像とを分離して人物画像を抽出する人物画像抽出手段と、前記人物画像に基づいて前記初期体形モデルを補正してユーザの体形モデルを作成する補正処理手段とを備えることを特徴とする。
【００１４】
本発明の第５の態様に係る体形モデル作成装置は、上記第４の態様において、前記補正処理手段は、前記人物画像の輪郭に基づいてユーザの体形を推定し、前記初期体形モデルの輪郭を補正して体形モデルを作成することを特徴とする。
【００１５】
上記第４及び第５の態様によれば、人物の体形を示す初期体形モデルを体形データ（例えば、身長、体重等の組み合わせ）ごとに予め用意しておき、ユーザの人物画像に基づいてこの初期体形モデルを補正することにより、ユーザが容易に自分の体形を示す画像である体形モデルを作成することができる。
【００１６】
本発明の第６の態様に係る体形モデル作成装置は、上記第１から第５の態様において、前記体形モデル作成手段は、前記ユーザの全身画像からユーザの頭部の画像を取得する頭部画像取得手段と、前記頭部の画像を用いて前記体形モデルの頭部を作成する顔作成手段とを更に備えることを特徴とする。
【００１７】
上記第６の態様によれば、ユーザの頭部（顔領域を含む）を体形モデルに付加することにより、ユーザの実際のイメージに近い体形モデルを作成することができる。
【００１８】
本発明の第７の態様に係る体形モデル作成装置は、上記第１から第６の態様において、前記ユーザの体形モデルを該ユーザの認証情報と関連付けて記録する記録手段と、前記ユーザの認証情報に基づいてユーザ認証を行うユーザ認証手段とを備え、前記出力手段は、前記ユーザ認証手段によってユーザ認証がなされたときに、前記記録手段から当該ユーザの体形モデルを読み出して出力することを特徴とする。
【００１９】
上記第７の態様によれば、体形モデルを記録することにより、体形モデルの利用が容易になる。
【００２０】
本発明の第８の態様に係る体形モデル作成方法は、ユーザの体形に関する体形データの入力を受け付ける体形データ入力工程と、前記ユーザの全身を撮影した全身画像を取得する全身画像取得工程と、前記ユーザの体形データ及び全身画像に基づいて、ユーザの体形を表す画像データを含む体形モデルを作成する体形モデル作成工程と、前記ユーザの体形モデルを出力手段に出力する出力工程とを備えることを特徴とする。
【００２１】
本発明の第９の態様に係る体形モデル作成方法は、上記第８の態様において、前記体形モデル作成工程は、前記ユーザの全身画像から、ユーザの身体が写っている人物画像と、ユーザの身体以外のものが写っている背景画像とを分離して人物画像を抽出する人物画像抽出工程と、前記ユーザの体形データに基づいて前記人物画像を補正してユーザの体形モデルを作成する補正処理工程とを備えることを特徴とする。
【００２２】
本発明の第１０の態様に係る体形モデル作成方法は、上記第９の態様において、前記補正処理工程では、前記ユーザの体形データに基づいて前記ユーザの体形の輪郭を推定し、前記人物画像の輪郭を補正して体形モデルを作成することを特徴とする。
【００２３】
本発明の第１１の態様に係る体形モデル作成方法は、上記第８の態様において、前記体形モデル作成工程は、前記ユーザの体形データに基づいて前記ユーザの体形を推定し、体形データごとに作成された初期体形モデルを格納する初期体形モデル格納手段の中から前記ユーザの体形に近似する初期体形モデルを選択する初期体形モデル選択工程と、前記ユーザの全身画像から、ユーザの身体が写っている人物画像と、ユーザの身体以外のものが写っている背景画像とを分離して人物画像を抽出する人物画像抽出工程と、前記人物画像に基づいて前記初期体形モデルを補正してユーザの体形モデルを作成する補正処理工程とを備えることを特徴とする。
【００２４】
本発明の第１２の態様に係る体形モデル作成方法は、上記第１１の態様において、前記補正処理工程では、前記人物画像の輪郭に基づいてユーザの体形を推定し、前記初期体形モデルの輪郭を補正して体形モデルを作成することを特徴とする。
【００２５】
本発明の第１３の態様に係る体形モデル作成方法は、上記第８から１２の態様において、前記体形モデル作成工程は、前記ユーザの全身画像からユーザの頭部の画像を取得する頭部画像取得工程と、前記頭部の画像を用いて前記体形モデルの頭部を作成する顔作成工程とを更に備えることを特徴とする。
【００２６】
本発明の第１４の態様に係る体形モデル作成方法は、上記第８から第１３の態様において、前記ユーザの体形モデルを該ユーザの認証情報と関連付けて記録する記録工程と、前記ユーザの認証情報に基づいてユーザ認証を行うユーザ認証工程と、前記ユーザ認証工程によってユーザ認証がなされたときに、前記記録工程から当該ユーザの体形モデルを読み出して前記出力手段に出力する工程とを備えることを特徴とする。
【発明の効果】
【００２７】
本発明によれば、ユーザの全身写真を利用することにより、ユーザが容易に自分の体形を示す画像である体形モデルを作成することができる。また、ユーザの画像を利用することにより、実際にユーザが試着した状態に近い試着イメージを作成することができる。
【発明を実施するための最良の形態】
【００２８】
以下、添付図面に従って本発明に係る体形モデル作成装置及び体形モデル作成方法の好ましい実施の形態について説明する。
【００２９】
［第１の実施形態］
図１は、本発明の第１の実施形態に係る服飾用品販売システムを示すブロック図である。図１に示すように、本実施形態に係る服飾用品販売システム１では、服飾用品販売サーバ（ウェブサーバ）１００とユーザ端末１０がインターネットＮＷを介して通信可能に接続されている。
【００３０】
服飾用品販売サーバ（ウェブサーバ）１００は、衣料及び装身具（例えば、帽子、履物（例えば、靴、草履）、装飾用品（例えば、ベルト、首飾り））を含む服飾用品を販売するための服飾用品販売用のウェブサイト（ウェブページ）Ｗ１０をインターネットＮＷを介して配信し、ユーザ端末１０からの注文の受付を行うためのサーバである。
【００３１】
服飾用品販売用ウェブサイトＷ１０では、カメラ（例えば、電子カメラ）５０によって撮影したユーザ自身の全身画像Ｐ１０を送信することにより、ユーザの体形を視覚的に表す画像データ（体形モデルＭ１０）を作成するとともに、この体形モデルＭ１０に所望の服飾用品を試着させた試着イメージＭ１０′を作成して閲覧可能になっている。
【００３２】
図２は、本発明の第１の実施形態に係るユーザ端末１０の内部構成を示すブロック図である。
【００３３】
図２に示すように、本実施形態に係るユーザ端末１０は、パーソナルコンピュータ（ＰＣ）であり、服飾用品販売用ウェブサイトＷ１０の閲覧を行うことができるようになっている。図２に示すように、中央処理装置（ＣＰＵ）１２は、バス１４を介してユーザ端末１０内の各ブロックに接続されており、各ブロックの動作を制御する。主メモリ１６は、制御プログラムが格納される記憶領域、及びプログラム実行時の作業領域を含んでいる。ハードディスク装置１８には、ユーザ端末１０のオペレーティングシステム（ＯＳ）のほか、各種のアプリケーションソフト（ブラウザソフトを含む）、撮影装置５０から読み込まれた画像データ等が格納される。ＣＤ−ＲＯＭ装置２０は、不図示のＣＤ−ＲＯＭからのデータの読み込みを行う。表示メモリ２２は、表示用データを一時記憶する。モニタ２４は、例えば、ＣＲＴ（Cathode Ray Tube）モニタ又は液晶モニタ（ＬＣＤモニタ）により構成され、この表示メモリ２２から出力される画像データ及び文字データ等に基づいて画像や文字等を表示する。キーボード２６及びマウス２８は、操作者からの操作入力を受け付けて、操作入力に応じた信号をＣＰＵ１２に入力する。なお、ポインティングデバイスとしては、マウス２８のほか、タッチパネルやタッチパッド等を用いることができる。マウスコントローラ３０は、マウス２８の状態を検出してモニタ２４上のマウスポインタの位置や、マウス２８の状態等の信号をＣＰＵ１２に出力する。オーディオ入出力回路３２には、マイク３４及びスピーカ３６が接続され、各種の音声信号が入力されるとともに、キーボード２６等からの操作入力に応じて各種動作音が再生出力される。通信インターフェース部（通信Ｉ／Ｆ）３８は、インターネットＮＷを介した通信を行う。カメラ接続インターフェース部（カメラ接続Ｉ／Ｆ）４０は、カメラ５０との間で画像データの送受信を行う。
【００３４】
図３は、本発明の第１の実施形態に係る服飾用品販売サーバ１００の機能ブロック図である。図３に示すように、本実施形態に係る服飾用品販売サーバ１００は、服飾用品データベース（服飾用品ＤＢ）１０２、コンテンツデータベース（コンテンツＤＢ）１０４、ユーザ登録情報データベース（ユーザ登録情報ＤＢ）１０６、販売実績データベース（販売実績ＤＢ）１０８、コンテンツ配信処理部１１０、体形データ取得部１１２、全身画像取得部１１４、人物画像抽出部１１６、体形モデル作成部１１８、ユーザ認証処理部１２０及び注文受付部１２２を備えたウェブサーバである。
【００３５】
服飾用品データベース（服飾用品ＤＢ）１０２には、服飾用品販売用ウェブサイトＷ１０を介して販売する服飾用品に関する服飾用品データ、及び当該服飾用品の在庫情報が格納される。ここで、服飾用品データは、例えば、服飾用品の画像データ及び文字データ（例えば、当該服飾用品の商品名、価格、サイズ、色、素材、在庫情報及びカテゴリ（例えば、男性用、女性用、上着、下着）を示す文字データ）を含んでいる。
【００３６】
コンテンツデータベース（コンテンツＤＢ）１０４には、服飾用品販売用ウェブサイトＷ１０を構成するコンテンツ（例えば、ＨＴＭＬによって記述されたウェブページ）、当該コンテンツを作成するために使用するコンテンツ作成用データ及びコンテンツ作成用プログラムが格納される。ここで、コンテンツ作成用データとは、例えば、服飾用品の販売者の名称、居所、著作権情報等を示す文字データ及び画像データである。コンテンツ作成用プログラムとは、例えば、コンテンツ作成用データ、及び服飾用品データベース１０２に格納された服飾用品データの表示態様（例えば、コンテンツ内における文字及び画像の配列、コンテンツの階層構造、リンク情報を決定してコンテンツを作成する機能を有するプログラムであり、例えば、ＣＧＩ、マクロメディアフラッシュ（登録商標）によって作成される。
【００３７】
ユーザ登録情報データベース（ユーザ登録情報ＤＢ）１０６には、ユーザの個人情報（例えば、氏名、住所、電話番号）、ユーザ認証に使用するユーザ認証情報（例えば、各ユーザに固有のユーザＩＤ、パスワード、暗証番号）、及び購入代金の決済に利用する決済情報を含むユーザ登録情報が格納されるとともに、ユーザの体形モデルＭ１０が上記ユーザ登録情報と関連付けられて格納される。
【００３８】
販売実績データベース（販売実績ＤＢ）１０８には、服飾用品販売用ウェブサイトＷ１０を介して販売された服飾用品の販売実績データ（統計データ）、各服飾用品データへのアクセス履歴、注文履歴が格納される。
【００３９】
コンテンツ配信処理部１１０は、ユーザ端末１０からのコンテンツの配信要求に応じて、コンテンツＤＢ１０４から服飾用品販売用ウェブサイトＷ１０のコンテンツを読み出してユーザ端末１０に配信する。コンテンツ配信処理部１１０は、例えば、販売実績ＤＢ１０８の販売実績データを参照して、服飾用品販売用ウェブサイトＷ１０のコンテンツ内における服飾用品の画像の配列等を決定する。
【００４０】
ユーザ認証処理部１２０は、ユーザ端末１０からユーザ認証情報の入力を受け付けた場合に、ユーザ端末１０から入力されたユーザ認証情報とユーザ登録情報ＤＢ１０６に格納されたユーザの認証情報とを照合して、ユーザ認証処理を行う。
【００４１】
注文受付部１２２は、ユーザからの服飾用品の注文の受付処理を行う。各ユーザからの服飾用品データへのアクセス履歴注文履歴は、販売実績ＤＢ１０８に格納される。
【００４２】
なお、ユーザ認証処理及び注文受付処理については、上記以外の公知の手法を用いてもよい。
【００４３】
コンテンツ配信処理部１１０は、ユーザ端末１０からユーザの体形モデルＭ１０の作成ページへのアクセスを受け付けると、ユーザの体形データ及び全身画像Ｐ１０の入力を促すメッセージと、体形データ及び全身画像Ｐ１０の入力を受け付けるための操作部材を含む体形モデル作成ページをユーザ端末１０に配信する。ユーザは、ユーザ端末１０のモニタ２４に表示された体形モデル作成ページを介して体形データ及び全身画像Ｐ１０を服飾用品販売サーバ１００に送信する。
【００４４】
体形データ取得部１１２及び全身画像取得部１１４は、それぞれユーザ端末１０から送信された体形データ及び全身画像Ｐ１０を取得する。
【００４５】
表１及び表２は、それぞれユーザが男性及び女性の場合の体形データの入力項目の例を示している。表１及び表２に示すように、体形データの入力項目は、ユーザの性別ごとに異なるようにしてもよい。
【００４６】
【表１】
2009128996.tif 000003
【００４７】
【表２】
2009128996.tif 000004
図４から図６は、体形モデル作成ページの例を示している。体形モデルを作成する場合には、まず、図４に示す性別入力画面がユーザ端末１０に表示される。図４の性別入力画面において、ユーザの性別が入力され、「次へ」ボタンがクリックされると、図５の体形データ入力画面に遷移する。
【００４８】
図５の体形データ入力画面では、身長及び体重の数値が入力されるとともに、体形、骨格及び肩幅の状態が入力される。図５に示す例では、身長及び体重の数値については、キーボード２６を用いて入力可能になっている。また、体形、骨格及び肩幅の状態については、例えば、プルダウンメニューにより選択可能になっている。図５において「次へ」ボタンがクリックされると、図６の全身画像アップロード画面に遷移する。一方、図５において「戻る」ボタンがクリックされると、図４の性別入力画面に遷移する。
【００４９】
図６の全身画像アップロード画面において、「検索」ボタンがクリックされると、ユーザ端末１０に記録された画像ファイルが一覧表示され、服飾用品販売サーバ１００にアップロードする全身画像Ｐ１０を選択可能になっている。図６において、少なくとも１枚の全身画像Ｐ１０が指定された後、「次へ」ボタンがクリックされると、体形モデルの作成処理が実行される。一方、図６において「戻る」ボタンがクリックされると、図５の体形データ入力画面に遷移する。なお、図６では、正面、左側面、右側面及び背面のうち少なくとも１つの画像を必須にしておき、該画像が選択されていない場合に、「次へ」ボタンの操作がクリックされても体形モデルの作成処理が実行されないようにしてもよい。
【００５０】
次に、体形モデルＭ１０の生成処理について説明する。図７は、全身画像Ｐ１０の例を示している。
【００５１】
人物画像抽出部１１６は、全身画像Ｐ１０を解析して、図８に示すように、ユーザの身体が写っている領域である人物画像Ｈ１０と、ユーザの身体以外のものが写っている領域である背景画像Ｂ１０に分割する。ユーザの全身画像Ｐ１０を人物画像と背景画像に分割する処理は、例えば、カールステンス・ローター（Carsten Rother）他、“Image editing and browsing GrabCut”、[online]、［平成１９年１１月７日検索］、インターネット〈ＵＲＬ：http://research.microsoft.com/vision/cambridge/i3l/segmentation/GrabCut.htm〉に記載されている技術を適用することで実現することができる。
【００５２】
体形モデル作成部１１８は、ユーザ端末１０から取得した体形データに基づいて人物画像Ｈ１０を補正し、体形モデルＭ１０を作成する。体形モデル作成部１１８は、例えば、体形データ中の体形、骨格及び肩幅のデータに基づいて、人物画像Ｈ１０の胴回り、肩幅、手足の太さ等を補正する。また、体形モデル作成部１１８は、例えば、人物画像Ｈ１０の頭頂部、首、関節、脇、指先、爪先、股下、顎、鼻の頭の位置を検出して、ユーザの手足、胴体の長さ、股下寸法等を推定し、ユーザの服のサイズを推定する。
【００５３】
コンテンツ配信処理部１１０は、体形モデル作成部１１８によって作成された体形モデルＭ１０を含む試着画面を作成してユーザ端末１０に配信する。
【００５４】
図９は、体形モデルを利用した試着画面の例を示している。図９に示すように、試着画面には、体形モデル表示領域Ａ１０、カテゴリ選択領域Ａ１２及び服飾用品画像表示領域Ａ１４が設けられている。
【００５５】
図９（ａ）に示すように、体形モデル表示領域Ａ１０には、体形モデル作成部１１８によって作成された体形モデルＭ１０が表示される。なお、体形モデルＭ１０の作成時に、全身画像Ｐ１０を複数枚アップロードした場合には、体形モデルＭ１０の近傍に「回転」ボタンが表示され、例えば、体形モデルＭ１０の側面又は背面を表示させることができる。
【００５６】
カテゴリ選択領域Ａ１２では、購入可能な服飾用品のカテゴリ（例えば、上着、パンツ、…）を選択するためのプルダウンメニューが設けられている。なお、図９に示す例では、服飾用品のカテゴリを２段階（例えば、パンツ−ニット）指定することができる。
【００５７】
カテゴリ選択領域Ａ１２において服飾用品のカテゴリが選択されると、図９（ａ）に示すように、服飾用品画像表示領域Ａ１４に当該カテゴリに属する服飾用品の画像Ｃ１０が表示される。なお、体形モデル作成部１１８によって推定されたユーザのサイズに応じて、服飾用品画像表示領域Ａ１４に表示される服飾用品のサイズが指定されるようにしてもよい。
【００５８】
服飾用品画像表示領域Ａ１４において服飾用品画像Ｃ１０がクリックされると、図９（ｂ）に示すように、体形モデルＭ１０が当該服飾用品を試着した試着イメージＭ１０′が作成され、体形モデル表示領域Ａ１０に表示される。試着イメージＭ１０′は、例えば、体形モデルＭ１０の輪郭線と、試着する服飾用品の素材の厚さとの関係から作成される。なお、試着イメージＭ１０′の生成処理は、例えば、試着画面のコンテンツに試着イメージ作成用プログラムを付加することにより、ユーザ端末１０によって実行されるようにしてもよいし、服飾用品画像Ｃ１０のクリック操作の都度、当該服飾用品の情報を服飾用品販売サーバ１００に送信して、服飾用品販売サーバ１００によって試着イメージＭ１０′を作成するようにしてもよい。
【００５９】
また、体形モデル表示領域Ａ１０には、試着イメージが試着している服飾用品ごとに、「詳細情報」ボタン、「購入」ボタン及び「削除」ボタンが設けられている。図９において、「詳細情報」ボタンがクリックされると、服飾用品ＤＢ１０２から当該服飾用品の詳細情報（例えば、サイズ、素材、在庫情報）がユーザ端末１０に表示される。図９において、「削除」ボタンがクリックされると、試着イメージＭ１０′から当該服飾用品の画像が削除され、服飾用品画像のクリック前の状態（図９（ａ））に戻る。
【００６０】
また、体形モデル表示領域Ａ１０の図中下部には、「モデルを登録」ボタンが設けられている。図９において、「モデルを登録」ボタンがクリックされると、ユーザの個人情報（例えば、氏名、住所、電話番号）、及びユーザ認証に使用するユーザ認証情報（例えば、各ユーザに固有のユーザＩＤ、パスワード、暗証番号）の入力を促すメッセージ、及び上記の情報を入力するための操作部材を含むユーザ登録画面が服飾用品販売サーバ１００からユーザ端末１０に配信されて表示される。ユーザ登録画面において、ユーザの個人情報及び認証情報が入力され、服飾用品販売サーバ１００に送信されると、ユーザ登録情報ＤＢ１０６にユーザの個人情報、認証情報、及び体形モデルＭ１０が関連付けられて格納される。
【００６１】
ユーザは、自分の認証情報を使用して服飾用品販売サイトにログイン（サインイン）することにより、登録した体形モデルＭ１０を表示させて、所望の服飾用品の試着イメージを作成することができる。
【００６２】
図９において、「購入」ボタンがクリックされると、ユーザ認証処理の後、注文受付処理が行われる。
【００６３】
図１０は、本発明の第１の実施形態に係る体形モデルＭ１０の作成方法を示すフローチャートである。ユーザ端末１０によって服飾用品販売用ウェブサイトＷ１０が閲覧され、服飾用品販売用ウェブサイトＷ１０に設けられた所定の操作部材によって体形モデルの作成処理が開始されると、まず、ユーザの体形データ及び全身の画像の入力画面がユーザ端末１０に表示される。
【００６４】
次に、ユーザ端末１０によって体形データ及び全身画像Ｐ１０が服飾用品販売用ウェブサイトＷ１０にアップロードされ、服飾用品販売サーバ１００に送信されると（ステップＳ１０及びＳ１２）、服飾用品販売サーバ１００によってユーザの全身画像Ｐ１０が解析されて、ユーザの全身画像Ｐ１０がユーザの身体が写っている領域である人物画像Ｈ１０と、ユーザの身体以外の部分が写っている領域である背景画像Ｂ１０に分割される（ステップＳ１４）。そして、ユーザ端末１０から入力された体形データに基づいて人物画像Ｈ１０の形状が補正され、体形モデルＭ１０が作成される（ステップＳ１６）。
【００６５】
次に、服飾用品販売サーバ１００からユーザ端末１０に体形モデルＭ１０が出力される（ステップＳ１８）。これにより、体形モデルＭ１０がユーザ端末１０に表示され、体形モデルＭ１０を用いた服飾用品の試着が可能になる。
【００６６】
本実施形態によれば、ユーザの全身写真を利用することにより、ユーザが容易に自分の体形を示す画像である体形モデルを作成することができる。また、ユーザの画像を利用することにより、実際にユーザが試着した状態に近い試着イメージを作成することができる。
【００６７】
［第２の実施形態］
次に、本発明の第２の実施形態について説明する。なお、以下の説明において、服飾用品販売システム１及びユーザ端末１０の構成については、上記第１の実施形態（図１及び図２）と同様である。
【００６８】
図１１は、本発明の第２の実施形態に係る服飾用品販売サーバ１００の機能ブロック図である。図１１に示すように、本実施形態に係る服飾用品販売サーバ１００は、服飾用品データベース（服飾用品ＤＢ）１０２、コンテンツデータベース（コンテンツＤＢ）１０４、ユーザ登録情報データベース（ユーザ登録情報ＤＢ）１０６、販売実績データベース（販売実績ＤＢ）１０８、コンテンツ配信処理部１１０、体形データ取得部１１２、全身画像取得部１１４、人物画像抽出部１１６、ユーザ認証処理部１２０、注文受付部１２２、初期体形モデル取得部１２４、体形モデルデータベース（体形モデルＤＢ）１２６、体形モデル作成部１２８及び顔画像抽出部１３０を備えたウェブサーバである。
【００６９】
服飾用品ＤＢ１０２には、服飾用品販売用ウェブサイトＷ１０を介して販売する服飾用品に関する服飾用品データ、及び当該服飾用品の在庫情報が格納される。
【００７０】
コンテンツＤＢ１０４には、服飾用品販売用ウェブサイトＷ１０を構成するコンテンツ（例えば、ＨＴＭＬによって記述されたウェブページ）、当該コンテンツを作成するために使用するコンテンツ作成用データ及びコンテンツ作成用プログラムが格納される。
【００７１】
ユーザ登録情報ＤＢ１０６には、ユーザの個人情報、ユーザ認証情報及び決済情報を含むユーザ登録情報が格納されるとともに、ユーザの体形モデルＭ２２が上記ユーザ登録情報と関連付けられて格納される。
【００７２】
販売実績ＤＢ１０８には、服飾用品販売用ウェブサイトＷ１０を介して販売された服飾用品の販売実績データ（統計データ）、各服飾用品データへのアクセス履歴、注文履歴が格納される。
【００７３】
コンテンツ配信処理部１１０は、ユーザ端末１０からのコンテンツの配信要求に応じて、コンテンツＤＢ１０４から服飾用品販売用ウェブサイトＷ１０のコンテンツを読み出してユーザ端末１０に配信する。
【００７４】
ユーザ認証処理部１２０は、ユーザ端末１０からユーザ認証情報の入力を受け付けた場合に、ユーザ端末１０から入力されたユーザ認証情報とユーザ登録情報ＤＢ１０６に格納されたユーザの認証情報とを照合して、ユーザ認証処理を行う。
【００７５】
注文受付部１２２は、ユーザからの服飾用品の注文の受付処理を行う。各ユーザからの服飾用品データへのアクセス履歴注文履歴は、販売実績ＤＢ１０８に格納される。
【００７６】
コンテンツ配信処理部１１０は、ユーザ端末１０からユーザの体形モデルの作成ページへのアクセスを受け付けると、ユーザの体形データ及び全身画像Ｐ１０の入力を促すメッセージと、体形データ及び全身画像Ｐ１０の入力を受け付けるための操作部材を含む体形モデル作成ページをユーザ端末１０に配信する。ユーザは、ユーザ端末１０のモニタ２４に表示された体形モデル作成ページを介して体形データ及び全身画像Ｐ１０を服飾用品販売サーバ１００に送信する。
【００７７】
体形データ取得部１１２及び全身画像取得部１１４は、それぞれユーザ端末１０から送信された体形データ及び全身画像Ｐ１０を取得する。
【００７８】
体形モデルデータベース（体形モデルＤＢ）１２６には、体形データに応じた複数の初期体形モデルＭ２０が複数格納される。ここで、初期体形モデルＭ２０とは、図１２に示すように、体形データ（例えば、身長、体重、体形、骨格、肩幅）に基づいて算出された標準的な身体の輪郭を立体的（３次元的）に示す画像データである。
【００７９】
初期体形モデル取得部１２４は、体形データ取得部１１２によって取得した体形データに基づいて、体形モデルＤＢ１２６からユーザの体形に近似する初期体形モデルＭ２０を選択する。
【００８０】
人物画像抽出部１１６は、全身画像Ｐ１０を解析して、図７及び図８と同様に、ユーザの身体が写っている領域である人物画像Ｈ１０と、ユーザの身体以外のものが写っている領域である背景画像Ｂ１０に分割する。
【００８１】
体形モデル作成部１２８は、人物画像Ｈ１０に基づいて初期体形モデルＭ２０を補正し、体形モデルＭ２２を作成する。体形モデル作成部１２８は、例えば、人物画像Ｈ１０の輪郭（例えば、胸部、腹部及び臀部の形状、胴体及び手足の長さ、首の位置）に応じて、初期体形モデルＭ２０の輪郭を補正する。
【００８２】
顔抽出部１３０は、人物画像Ｈ１０からユーザの顔領域及び頭部を検出し、体形モデルＭ２２の頭部に貼り付ける。これにより、図１３に示すように、ユーザの顔及び頭部の画像を含む立体的な体形モデルＭ２２が作成される。
【００８３】
コンテンツ配信処理部１１０は、体形モデル作成部１２８によって作成された体形モデルＭ２２を含む試着画面を作成してユーザ端末１０に配信する。なお、試着画面の構成については図９と同様であるため説明を省略する。
【００８４】
図１４は、本発明の第２の実施形態に係る体形モデルＭ１０作成方法を示すフローチャートである。ユーザ端末１０によって服飾用品販売用ウェブサイトＷ１０が閲覧され、服飾用品販売用ウェブサイトＷ１０に設けられた所定の操作部材によって体形モデルの作成処理が開始されると、まず、ユーザの体形データ及び全身の画像の入力画面がユーザ端末１０に表示される。
【００８５】
次に、ユーザ端末１０によって体形データ及び全身画像Ｐ１０が服飾用品販売用ウェブサイトＷ１０にアップロードされ、服飾用品販売サーバ１００に送信されると（ステップＳ２０及びＳ２２）、体形データに近似する初期体形モデルが体形モデルＤＢ１２６から読み出される（ステップＳ２４）。
【００８６】
次に、服飾用品販売サーバ１００によってユーザの全身画像Ｐ１０が解析されて、ユーザの全身画像Ｐ１０がユーザの身体が写っている領域である人物画像と、ユーザの身体以外の部分が写っている領域である背景画像に分割される（ステップＳ２６）。そして、ステップＳ２６において抽出された人物画像の形状に基づいて、初期体形モデルＭ２０の形状が補正されて体形モデルＭ２２が作成される（ステップＳ２８）。
【００８７】
次に、服飾用品販売サーバ１００からユーザ端末１０に体形モデルＭ２２が出力される（ステップＳ３０）。これにより、体形モデルＭ２２がユーザ端末１０に表示され、体形モデルＭ２２を用いた服飾用品の試着が可能になる。
【００８８】
本実施形態によれば、ユーザの全身写真を利用することにより、ユーザが容易に自分の体形を示す画像である体形モデルを作成することができる。また、ユーザの顔画像を体形モデルに付加することにより、実際にユーザが試着した状態に近い試着イメージを作成することができる。
【図面の簡単な説明】
【００８９】
【図１】本発明の第１の実施形態に係る服飾用品販売システムを示すブロック図
【図２】本発明の第１の実施形態に係るユーザ端末１０の内部構成を示すブロック図
【図３】本発明の第１の実施形態に係る服飾用品販売サーバ１００の機能ブロック図
【図４】体形モデル作成ページの例
【図５】体形モデル作成ページの例
【図６】体形モデル作成ページの例
【図７】全身画像Ｐ１０の例
【図８】全身画像Ｐ１０の解析結果の例
【図９】体形モデルを利用した試着画面の例
【図１０】本発明の第１の実施形態に係る体形モデルＭ１０の作成方法を示すフローチャート
【図１１】本発明の第２の実施形態に係る服飾用品販売サーバ１００の機能ブロック図
【図１２】初期体形モデルＭ２０の例
【図１３】本発明の第２の実施形態に係る体形モデルＭ２２の例
【図１４】本発明の第２の実施形態に係る体形モデルＭ１０作成方法を示すフローチャート
【符号の説明】
【００９０】
１…服飾用品販売システム、１０…ユーザ端末、５０…カメラ、１００…服飾用品販売サーバ
【図１】
2009128996.tif 000005
【図２】
2009128996.tif 000006
【図３】
2009128996.tif 000007
【図４】
2009128996.tif 000008
【図５】
2009128996.tif 000009
【図６】
2009128996.tif 000010
【図７】
2009128996.tif 000011
【図８】
2009128996.tif 000012
【図９】
2009128996.tif 000013
【図１０】
2009128996.tif 000014
【図１１】
2009128996.tif 000015
【図１２】
2009128996.tif 000016
【図１３】
2009128996.tif 000017
【図１４】
2009128996.tif 000018